(57)【要約】【課題】長尺形状の角柱形ウレタンスポンジ１１を、略長尺円柱状または略長尺円筒状に容易に加工できるスポンジ加工装置１を提供することを目的とする。【解決手段】角柱形ウレタンスポンジ１１を支持するスポンジ支持部材２１と、所定間隔を隔てて並置した上側張架フレーム３３、及び下側張架フレーム３４の先端に電熱線３６を張架した電熱線張架部材３１と、電熱線３６に対して電圧を印加する電圧供給手段とを備え、電熱線３６によって角柱形ウレタンスポンジ１１を溶融して加工するスポンジ加工装置１であって、スポンジ支持部材２１を回動させる回転駆動ユニット２３を備え、上側張架フレーム３３と下側張架フレーム３４との間における電熱線３６の長さを、１２００ｍｍとし、電熱線張架部材３１に、電熱線３６の引張方向に電熱線３６を付勢する上側スプリング３７、及び下側スプリング３８を備えたことを特徴とする。【選択図】図２
2016159403.tif 000002
【特許請求の範囲】
【請求項１】
高分子化合物の発泡成形体である高分子発泡体を支持する発泡体支持手段と、
所定間隔を隔てて並置した一対の張架フレームの先端に電熱線を張架した電熱線張架手段と、
前記電熱線に対して電圧を印加する電圧供給手段とを備え、
前記電熱線によって前記高分子発泡体を溶融して加工する発泡体加工装置であって、
前記一対の張架フレームの間において、前記電熱線が張架される方向を張架方向とし、
前記電熱線の前記張架方向に対して略平行な仮想線を回転軸として、前記電熱線張架手段または前記発泡体支持手段のいずれか一方を回動させる回動手段を備え、
前記一対の張架フレームの間における前記電熱線の長さを、１２００ｍｍとし、
前記電熱線張架手段に、
前記電熱線の引張方向に前記電熱線を付勢する少なくとも１つの付勢部材を備えた
発泡体加工装置。
【請求項２】
前記付勢部材を、
前記電熱線に作用する付勢力の合計が７ｋｇｆとなるように構成した
請求項１に記載の発泡体加工装置。
【請求項３】
前記電熱線を、
材質が８５Ｎｉ−１５Ｃｒのニクロム線で構成した
請求項１または請求項２に記載の発泡体加工装置。
【請求項４】
前記ニクロム線の線径を、直径０．８ｍｍとした
請求項３に記載の発泡体加工装置。
【請求項５】
電圧を印加した状態における前記ニクロム線の温度を、
３２０℃以上３８０℃以下とした
請求項３または請求項４に記載の発泡体加工装置。
【請求項６】
前記回動手段による前記電熱線張架手段または前記発泡体支持手段の回転速度を、１ｒｐｍとした
請求項１から請求項５のいずれか１つに記載の発泡体加工装置。
【発明の詳細な説明】
【技術分野】
【０００１】
この発明は、例えば、多孔質構造体であるフィルターの製造に用いる高分子発泡体を、フィルター形状に加工するような発泡体加工装置に関する。
【背景技術】
【０００２】
汚染物質を含有した気体や液体を浄化する浄化処理装置として、例えば、特許文献１のような光触媒を用いた光触媒浄化処理装置が知られている。この特許文献１の光触媒浄化処理装置では、セラミックス製の多孔質構造体であるフィルター本体と、フィルター本体に担持した光触媒材とで構成した略長尺円筒状の光触媒フィルターを用いている。
【０００３】
そして、特許文献１では、光触媒フィルターの内部に配置した光照射器が発する紫外線と、光触媒フィルターとによる光触媒作用によって、光触媒フィルターを通過する汚染物質を浄化できるとされている。
【０００４】
このような光触媒フィルターを構成するフィルター本体は、例えば、略長尺円筒状に加工した高分子発泡体である合成スポンジに、炭化珪素粉末スラリを含浸したのち、余剰スラリを除去したうえで、乾燥、及び焼成することで、合成スポンジを溶解させて製造している。  
ところで、合成スポンジのような高分子発泡体の加工には、レシプロカッティングプロッターやウォータージェット加工を用いることが知られている。
【０００５】
より詳しくは、レシプロカッティングプロッターは、上下振幅するカッターを移動させて、略平板状の加工対象物から所望する形状を切り抜くようにして、加工対象物を加工する加工方法であって、厚みの薄い加工対象物の加工に適しているとされている。しかしながら、レシプロカッティングプロッターは、カッター自体の長さに限りがあるため、加工対象物の厚みとしては５０ｍｍ程度が限界であるされている。
【０００６】
一方、ウォータージェット加工は、細孔から高圧で排出されるウォータージェットの水圧によって、加工対象物を加工する加工方法であって、軟質材や非金属材などの加工に適しているとされている。しかしながら、ウォータージェット加工は、加工対象物の厚みが厚くなるほど、水圧低下による加工精度の低下や加工不良が生じるため、加工対象物の厚みとしては１３０ｍｍ程度が限界であるとされている。
【０００７】
このため、レシプロカッティングプロッターやウォータージェット加工では、例えば、全長１０００ｍｍの略長尺状の高分子発泡体を、上述した光触媒フィルターの製造に用いるような略長尺円筒状に加工することが困難であった。仮に、レシプロカッティングプロッターやウォータージェットで加工した場合、複数回に分けて加工して所望する形状に形成する必要があり、効率よく加工することができないという問題があった。
【先行技術文献】
【特許文献】
【０００８】
【特許文献１】特開２００６−３２０８４３号公報
【発明の概要】
【発明が解決しようとする課題】
【０００９】
本発明は、上述の問題に鑑み、長尺形状の高分子発泡体を、略長尺円柱状または略長尺円筒状に容易に加工できる発泡体加工装置を提供することを目的とする。
【課題を解決するための手段】
【００１０】
この発明は、高分子化合物の発泡成形体である高分子発泡体を支持する発泡体支持手段と、所定間隔を隔てて並置した一対の張架フレームの先端に電熱線を張架した電熱線張架手段と、前記電熱線に対して電圧を印加する電圧供給手段とを備え、前記電熱線によって前記高分子発泡体を溶融して加工する発泡体加工装置であって、前記一対の張架フレームの間において、前記電熱線が張架される方向を張架方向とし、前記電熱線の前記張架方向に対して略平行な仮想線を回転軸として、前記電熱線張架手段または前記発泡体支持手段のいずれか一方を回動させる回動手段を備え、前記一対の張架フレームの間における前記電熱線の長さを、１２００ｍｍとし、前記電熱線張架手段に、前記電熱線の引張方向に前記電熱線を付勢する少なくとも１つの付勢部材を備えたことを特徴とする。
【００１１】
上記高分子発泡体は、軟質あるいは硬質ウレタンスポンジ、難燃性を有するウレタンスポンジ、発泡ポリエチレンスポンジ、ゴムスポンジ、あるいは発泡スチロールなどとすることができる。  
上記付勢部材は、コイルスプリングなどであって、電熱線の一端に連結した１つの付勢部材、あるいは電熱線の両端にそれぞれ連結した２つの付勢部材などとすることができる。
【００１２】
この発明により、長尺形状の高分子発泡体を、略長尺円柱状または略長尺円筒状に容易に加工することができる。  
具体的には、一対の張架フレームの間における電熱線の長さが１２００ｍｍのため、発泡体加工装置は、少なくとも１０００ｍｍ以下の長さを有する高分子発泡体を、電圧供給手段によって加熱した電熱線で加工することができる。
【００１３】
そして、電熱線張架手段または発泡体支持手段を回動させる回動手段により、発泡体加工装置は、１０００ｍｍ以下の長さを有する高分子発泡体を、略円板状また略長尺円柱状に容易に加工することができる。
【００１４】
同様にして、略円板状また略長尺円柱状に加工した高分子発泡体における内部を電熱線で加工することで、発泡体加工装置は、１０００ｍｍ以下の長さを有する高分子発泡体を、略円環状または略長尺円筒状に容易に加工することができる。
【００１５】
この際、高分子発泡体の長さが長いほど、高分子発泡体との接触抵抗によって、電熱線の弛みが生じ易くなる。そこで、電熱線の引張方向に付勢する付勢部材を備えたことにより、発泡体加工装置は、電熱線の張力を略一定に保つことができる。このため、発泡体加工装置は、高分子発泡体との接触抵抗による電熱線の弛みを抑制することができる。
【００１６】
すなわち、発泡体加工装置は、高分子発泡体との接触抵抗による電熱線の線径縮小を抑制できるため、電熱線の抵抗値変化を抑制することができる。このため、発泡体加工装置は、電熱線の温度変化の抑制と、電熱線の断線防止とを両立することができる。
【００１７】
これにより、例えば、１０００ｍｍの長さを有する高分子発泡体であっても、発泡体加工装置は、高分子発泡体を電熱線で安定して溶融でき、加工面の凹凸を抑制した加工物を得ることができる。
【００１８】
加えて、断線による電熱線の交換回数を低減できるため、発泡体加工装置は、高分子発泡体をより効率よく加工することができる。  
従って、発泡体加工装置は、長尺形状の高分子発泡体を、略長尺円柱状または略長尺円筒状に容易に加工することができる。
【００１９】
この発明の態様として、前記付勢部材を、前記電熱線に作用する付勢力の合計が７ｋｇｆとなるように構成することができる。  
この発明により、発泡体加工装置は、長尺形状の高分子発泡体を略長尺円柱状または略長尺円筒状に、より安定して加工することができる。
【００２０】
具体的には、電熱線に作用する付勢力の合計が７ｋｇｆを下回る場合、電熱線に弛みが生じ易くなる。このため、電熱線で加工された高分子発泡体の加工面に大きな凹凸が生じる、あるいは所望する加工精度で高分子発泡体を加工できないおそれがあった。
【００２１】
一方、電熱線に作用する付勢力の合計が７ｋｇｆを上回る場合、電熱線に作用する引張荷重と、高分子発泡体との接触抵抗と、発熱による電熱線の伸長とによって、電熱線が容易に断線するおそれがあった。
【００２２】
従って、発泡体加工装置は、電熱線に作用する付勢力の合計を７ｋｇｆとしたことにより、１０００ｍｍ以下の長さを有する高分子発泡体の加工に適した張力で電熱線を張架することができ、長尺形状の高分子発泡体を略長尺円柱状または略長尺円筒状に、より安定して加工することができる。
【００２３】
またこの発明の態様として、前記電熱線を、材質が８５Ｎｉ−１５Ｃｒのニクロム線で構成することができる。  
この発明により、発泡体加工装置は、１０００ｍｍ以下の長さを有する高分子発泡体の加工に適した温度に、電熱線を容易に加熱することができる。
【００２４】
具体的には、ニクロム線の材質としては、８５Ｎｉ−１５Ｃｒ、８０Ｎｉ−２０Ｃｒ、あるいは６０Ｎｉ−１２Ｃｒ−２６Ｆｅなどがある。  
ところが、例えば、材質８０Ｎｉ−２０Ｃｒのニクロム線は、材質８５Ｎｉ−１５Ｃｒのニクロム線に比べて通電し難いため、高分子発泡体の加工に適切な温度に加熱し難くなる。このため、材質８０Ｎｉ−２０Ｃｒのニクロム線では、高分子発泡体との接触抵抗の増加によって断線するおそれがあった。
【００２５】
また、例えば、材質６０Ｎｉ−１２Ｃｒ−２６Ｆｅのニクロム線は、同じ電圧を印加した材質８５Ｎｉ−１５Ｃｒのニクロム線に比べて発熱し易くなる。このため、材質６０Ｎｉ−１２Ｃｒ−２６Ｆｅのニクロム線では、電熱線に印加する電圧の制御が難しくなるとともに、高分子発泡体との接触抵抗と、発熱による伸長とによって断線するおそれがあった。
【００２６】
従って、発泡体加工装置は、材質８５Ｎｉ−１５Ｃｒのニクロム線で電熱線を構成したことにより、１０００ｍｍ以下の長さを有する高分子発泡体の加工に適した温度に、電熱線を容易に加熱することができる。
【００２７】
またこの発明の態様として、前記ニクロム線の線径を、直径０．８ｍｍとすることができる。  
この発明により、発泡体加工装置は、ニクロム線の断線をより防止するとともに、加工精度の向上を図ることができる。
【００２８】
具体的には、ニクロム線の線径が直径０．８ｍｍを下回る場合、高分子発泡体との接触抵抗と、発熱による伸長とによって、ニクロム線が断線するおそれがあった。  
一方、ニクロム線の直径が大きくなるほど、ニクロム線の曲げ剛性が高くなるため、曲げ変形が生じた部分を真直ぐにすることが困難になる。
【００２９】
このため、ニクロム線の線径が直径０．８ｍｍを上回る場合、張架フレームに張架した状態で、ニクロム線に張力を作用させたとしても、ニクロム線の曲げ変形部分が残留するおそれがある。そして、高分子発泡体を加工した際、ニクロム線の曲げ変形部分によって、高分子発泡体の加工面に大きな凹凸が生じるおそれがあった。
【００３０】
従って、発泡体加工装置は、ニクロム線の線径を直径０．８ｍｍとしたことにより、ニクロム線の断線をより防止するとともに、加工精度の向上を図ることができる。
【００３１】
またこの発明の態様として、電圧を印加した状態における前記ニクロム線の温度を、３２０℃以上３８０℃以下とすることができ、より好ましくは３３０℃以上３５０℃以下とすることができる。  
この発明により、発泡体加工装置は、ニクロム線の断線をより確実に防止するとともに、高分子発泡体をより安定して加工することができる。
【００３２】
具体的には、ニクロム線の温度が３２０℃を下回る場合、温度が低すぎて高分子発泡体が溶融し難く、高分子発泡体の加工が困難になるおそれがあった。  
一方、ニクロム線の温度が３８０℃を上回る場合、高分子発泡体との接触抵抗と、発熱による伸長とによって、ニクロム線が断線するおそれがあった。
【００３３】
従って、発泡体加工装置は、ニクロム線の温度を３２０℃以上３８０℃以下、より好ましくは３３０℃以上３５０℃以下としたことにより、ニクロム線の断線をより確実に防止するとともに、高分子発泡体をより安定して加工することができる。
【００３４】
またこの発明の態様として、前記回動手段による前記電熱線張架手段または前記発泡体支持手段の回転速度を、１ｒｐｍとすることができる。  
この発明により、発泡体加工装置は、１０００ｍｍ以下の長さを有する高分子発泡体を、適切な回転速度で加工することができるとともに、所望する加工精度で見栄えの良い形状に加工することができる。
【００３５】
具体的には、回動手段による電熱線張架手段または発泡体支持手段の回転速度が１ｒｐｍを下回る場合、電熱線と高分子発泡体との接触時間が長くなるため、高分子発泡体が過度に溶融して、高分子発泡体の加工面に大きな凹凸が生じるおそれがあった。
【００３６】
一方、回動手段による電熱線張架手段または発泡体支持手段の回転速度が１ｒｐｍを上回る場合、電熱線による高分子発泡体の溶融速度よりも回転速度が上回り易くなるため、高分子発泡体との接触抵抗が増大し、電熱線が断線するおそれがあった。
【００３７】
従って、発泡体加工装置は、回動手段による電熱線張架手段または発泡体支持手段の回転速度を１ｒｐｍとしたことにより、１０００ｍｍ以下の長さを有する高分子発泡体を、適切な回転速度で加工することができるとともに、所望する加工精度で見栄えの良い形状に加工することができる。
【発明の効果】
【００３８】
本発明により、長尺形状の高分子発泡体を、略長尺円柱状または略長尺円筒状に容易に加工できる発泡体加工装置を提供することができる。
【図面の簡単な説明】
【００３９】
【図１】スポンジ加工装置の正面視を示す正面図。
【図２】スポンジ保持構造体、及び電熱線保持構造体の外観を示す外観斜視図。
【図３】スポンジ加工装置の平面視を示す平面図。
【図４】スポンジ加工装置における内部構成を示すブロック図。
【図５】ウレタンスポンジの形状を説明する説明図。
【図６】角柱形ウレタンスポンジを載置した状態におけるスポンジ加工装置の平面視を示す平面図。
【図７】円柱形ウレタンスポンジを得る工程におけるスポンジ加工装置の平面視を示す平面図。
【図８】円筒形ウレタンスポンジを得る工程におけるスポンジ加工装置の平面視を示す平面図。
【発明を実施するための形態】
【００４０】
この発明の一実施形態を以下図面と共に説明する。  
本実施例におけるスポンジ加工装置１は、ポリウレタンを略長尺角柱状に発泡成形した角柱形ウレタンスポンジ１１（図５（ａ）参照）を電熱線３６で加工して、略長尺円柱状の円柱形ウレタンスポンジ１２（図５（ｂ）参照）を得たのち、所望する内外径を有する略長尺円筒状の円筒形ウレタンスポンジ１３（図５（ｃ）参照）を得る装置である。
【００４１】
なお、図１はスポンジ加工装置１の正面図を示し、図２はスポンジ保持構造体２、及び電熱線保持構造体３の外観斜視図を示し、図３はスポンジ加工装置１の平面図を示し、図４はスポンジ加工装置１における内部構成のブロック図を示している。  
また、図２中において、円柱形ウレタンスポンジ１２を二点鎖線で示すとともに、図２及び図３中において、制御装置４及び支持台５の図示を省略している。
【００４２】
また、図中において、矢印Ｘは前後方向を示しており（以下「前後方向Ｘ」とする）、矢印Ｙは左右方向を示している（以下「左右方向Ｙ」とする）。さらに、前後方向Ｘにおいて、図２中の左側を前方とし、図２中の右側を後方とするとともに、左右方向Ｙにおいて、図１中の左側を左方向とし、図１中の右側を右方向とする。
【００４３】
スポンジ加工装置１は、図１に示すように、ウレタンスポンジを保持するスポンジ保持構造体２と、電熱線３６が張架される電熱線保持構造体３と、各部を制御する制御装置４と、これらを支持する支持台５とで構成している。
【００４４】
スポンジ保持構造体２は、図１及び図２に示すように、ウレタンスポンジを支持するスポンジ支持部材２１と、ウレタンスポンジの上面を押圧する押え部材２２と、上下方向を回転軸として、スポンジ支持部材２１を回転させる回転駆動ユニット２３とで構成している。
【００４５】
スポンジ支持部材２１は、回転駆動ユニット２３の上面に載置されるとともに、回転駆動ユニット２３に連結される底部２１ａと、底部２１ａから上方へ延設した細い長い略棒状の軸棒部２１ｂとで一体形成している。
【００４６】
底部２１ａは、上下方向に所定の厚みを有する平面視略円板状の円板部分（図示省略）と、円板部分の直径よりも小径で、かつ所望する円筒形ウレタンスポンジ１３の内径よりも小径の略円柱状の円柱部分（図示省略）とを、下方からのこの順番で同軸上に配置して形成している。
【００４７】
軸棒部２１ｂは、角柱形ウレタンスポンジ１１における上下方向の長さよりも長い上下方向の長さを有するとともに、底部２１ａの円柱部分よりも小径の細長い略棒状であって、底部２１ａの中心軸に対して同軸上に配置している。
【００４８】
押え部材２２は、上下方向に所定の厚みを有するとともに、底部２１ａの円柱部分と略同等の外径と、軸棒部２１ｂの外径と略同等の内径とを有する略円環状に形成している。なお、押え部材２２は、スポンジ支持部材２１の軸棒部２１ｂに対して、着脱自在に構成している。
【００４９】
回転駆動ユニット２３は、駆動モーター２３ａ（図４参照）や減速機などで構成され、上下方向を回転軸として、スポンジ支持部材２１を所定の回転速度で回転可能に構成している。この回転駆動ユニット２３は、支持台５に固定されるとともに、電線６を介して後述する制御装置４と電気的に接続している。
【００５０】
一方、電熱線保持構造体３は、図１及び図２に示すように、電熱線３６が張架される正面視コ字状の電熱線張架部材３１と、電熱線張架部材３１の左端を回転自在に支持するとともに、支持台５に固定される支持フレーム３２とで構成している。
【００５１】
電熱線張架部材３１は、上方に位置するとともに、左右方向Ｙに延びる上側張架フレーム３３と、上側張架フレーム３３に対して所定間隔を隔てた下方において、左右方向Ｙに延びる下側張架フレーム３４と、上側張架フレーム３３の左端、及び下側張架フレーム３４の左端を上下方向で連結する連結フレーム３５と、上側張架フレーム３３及び下側張架フレーム３４に張架した電熱線３６とで構成している。
【００５２】
上側張架フレーム３３は、左右方向Ｙに延びる金属製の略四角筒状体であって、左側上部を斜め下方へ向けて切り落とした形状に形成している。この上側張架フレーム３３の前面における右端部には、前後方向Ｘを回転軸として回転自在に軸支した上側ローラー３３ａを備えている。さらに、上側張架フレーム３３の前面側における左端部には、正面視略台形状の上側連結板３３ｂを締結固定している。
【００５３】
上側ローラー３３ａは、ベアリングなどの導電性を有する金属部材で構成するとともに、上側張架フレーム３３と非導通となるように、図示を省略した絶縁性部材などを介して、上側張架フレーム３３の前面に軸支されている。
【００５４】
さらに、上側ローラー３３ａは、図４に示すように、一端を制御装置４に接続した正極電線７の他端側と接続可能に構成している。なお、詳しくは後述するが、上側ローラー３３ａは、正極電線７、制御装置４、及び電源電線９を介して、電源装置１０の正極に接続している。
【００５５】
上側連結板３３ｂは、前後方向Ｘに所定の厚みを有する正面視略台形状の平板であって、その下部を上側張架フレーム３３の左端部に締結固定している。この上側連結板３３ｂの上部には、連結ボルト（図示省略）を用いて、後述する上側スプリング３７の一端が連結されている。
【００５６】
下側張架フレーム３４は、左右方向Ｙに延びる金属製の略四角筒状体であって、左側下部を斜め上方へ向けて切り落とした形状に形成している。この下側張架フレーム３４の前面における右端部には、前後方向Ｘを回転軸として回転自在に軸支された下側ローラー３４ａを備えている。さらに、下側張架フレーム３４の前面側における左端部には、正面視略逆台形状の下側連結板３４ｂを締結固定している。
【００５７】
下側ローラー３４ａは、ベアリングなどの導電性を有する金属部材で構成するとともに、下側張架フレーム３４と非導通となるように、図示を省略した絶縁性部材などを介して、下側張架フレーム３４の前面に軸支されている。
【００５８】
さらに、下側ローラー３４ａは、図４に示すように、一端を制御装置４に接続した負極電線８の他端側と接続可能に構成している。なお、詳しくは後述するが、下側ローラー３４ａは、負極電線８、制御装置４、及び電源電線９を介して、電源装置１０（図４参照）の負極に接続している。
【００５９】
下側連結板３４ｂは、前後方向Ｘに所定の厚みを有する正面視略逆台形状の平板であって、その上部を下側張架フレーム３４の左端部に締結固定している。この下側連結板３４ｂの下部には、連結ボルト（図示省略）を用いて、後述する下側スプリング３８の一端が連結されている。
【００６０】
連結フレーム３５は、上端に上側張架フレーム３３が固定され、下端に下側張架フレーム３４が固定されるとともに、上側ローラー３３ａと下側ローラー３４ａとの間における上下方向の長さが１２００ｍｍとなる長さに形成している。
【００６１】
この連結フレーム３５は、上下方向に所定の厚みを有する略平板状の上側固定プレート３５ａと、上下方向に延びる略四角筒状体のフレーム本体３５ｂと、上側固定プレート３５ａと略同等の大きさの下側固定プレート３５ｃとを、上方からこの順番で一体的に組付けて構成している。
【００６２】
電熱線３６は、全長が１４８０ｍｍで、材質が８５Ｎｉ−１５Ｃｒで、線径が直径０．８ｍｍのニクロム線で構成している。この電熱線３６の両端は、それぞれ上側スプリング３７、及び下側スプリング３８に着脱自在に接続している。
【００６３】
そして、電熱線３６は、上側スプリング３７を介して上側連結板３３ｂに連結し、下側スプリング３８を介して下側連結板３４ｂに連結するとともに、上側スプリング３７及び下側スプリング３８の付勢力に抗して、上側ローラー３３ａ及び下側ローラー３４ａに張架している。
【００６４】
すなわち、上側スプリング３７と上側ローラー３３ａとの間における電熱線３６の長さ、及び下側スプリング３８と下側ローラー３４ａとの間における電熱線３６の長さがそれぞれ１４０ｍｍがとなり、上側ローラー３３ａと下側ローラー３４ａとの間における電熱線３６の長さが１２００ｍｍとなる。この上側ローラー３３ａと下側ローラー３４ａとの間における電熱線３６の長さ１２００ｍｍを、ウレタンスポンジを加工可能な有効加工範囲Ｈとする。
【００６５】
上側スプリング３７、及び下側スプリング３８は、上側ローラー３３ａ、及び下側ローラー３４ａに電熱線３６を張架した状態において、電熱線３６の引張方向に作用する付勢力が、それぞれ３．５ｋｇｆとなるバネ定数のコイルスプリングで構成している。
【００６６】
換言すると、上側ローラー３３ａ、及び下側ローラー３４ａに張架した状態における電熱線３６に対して合計７ｋｇｆの付勢力が作用するように、上側スプリング３７、及び下側スプリング３８を構成している。  
なお、下側スプリング３８には、図１に示すように、一端がグラウンドに接地する導電性のアース線３９を接続している。
【００６７】
支持フレーム３２は、連結フレーム３５における上下方向の長さよりも長く、上下方向に延びる略四角筒状体であって、その下部を支持台５に固定している。この支持フレーム３２は、上下方向に所定間隔を隔てて配置した３つの蝶番３ａによって、電熱線張架部材３１を回転自在に支持している。
【００６８】
より詳しくは、支持フレーム３２の右側面と電熱線張架部材３１における連結フレーム３５の左側面とが対向する状態において、支持フレーム３２の前面と、連結フレーム３５の前面とを、３つの蝶番３ａで連結している。
【００６９】
この３つの蝶番３ａは、支持フレーム３２の右側面と電熱線張架部材３１における連結フレーム３５の左側面とが対向する状態から、電熱線張架部材３１が平面視時計回りに回転可能に構成している。
【００７０】
さらに、支持フレーム３２の後面には、図３に示すように、電熱線張架部材３１における下側固定プレート３５ｃの上下方向位置と略同等の上下方向位置に、ウレタンスポンジに対する電熱線３６の位置を決定する位置決め部４０を備えている。
【００７１】
位置決め部４０は、図３に示すように、平面視において、支持フレーム３２に固定される平面視略Ｌ字状の位置決め基部４１と、位置決め基部４１に右端近傍において、前後方向Ｘに螺合した位置決めボルト４２とで構成している。
【００７２】
この位置決め部４０は、電熱線張架部材３１における下側固定プレート３５ｃの後面と、位置決めボルト４２の先端とが前後方向Ｘで当接することで、平面視反時計回りへの電熱線張架部材３１の回転を規制している。
【００７３】
上述した構成のスポンジ保持構造体２、及び電熱線保持構造体３は、図１に示すように、支持フレーム３２の右側面と連結フレーム３５の左側面とが対向する状態において、電熱線３６とスポンジ支持部材２１とが近接するように配置している。
【００７４】
より詳しくは、スポンジ保持構造体２、及び電熱線保持構造体３は、正面視において、スポンジ保持構造体２における底部２１ａの円板部分に、電熱線保持構造体３の下側張架フレーム３４の下面が近接する上下方向の位置に配置している。
【００７５】
さらに、スポンジ保持構造体２、及び電熱線保持構造体３は、図３に示すように、平面視において、スポンジ保持構造体２におけるスポンジ支持部材２１の中心を通る左右方向Ｙに沿った仮想線と、電熱線３６とが交差するように配置している。このような配置のスポンジ保持構造体２、及び電熱線保持構造体３は、図１に示すように、支持台５に固定されて、それの状態を維持している。
【００７６】
制御装置４は、回転駆動ユニット２３の駆動モーター２３ａを制御する機能と、電熱線３６に印加する電圧を制御する機能とを有している。  
より詳しくは、制御装置４は、図４に示すように、電線６を介してスポンジ保持構造体２の駆動モーター２３ａと電気的に接続するとともに、正極電線７を介して電熱線保持構造体３の上側ローラー３３ａと接続し、負極電線８を介して下側ローラー３４ａと接続している。
【００７７】
さらに、制御装置４は、電源電線９を介して電源装置１０と接続している。  
この電源装置１０は、交流電力を適宜の直流電力に変換して制御装置４に出力する機能を有している。加えて、電源装置１０の正極には、制御装置４、及び電源電線９を介して、上側ローラー３３ａが接続され、電源装置１０の負極には、制御装置４、及び電源電線９を介して、下側ローラー３４ａが接続されている。
【００７８】
このような構成のスポンジ加工装置１において、略長尺角柱状の角柱形ウレタンスポンジ１１から略長尺円柱状の円柱形ウレタンスポンジ１２を得る工程と、円柱形ウレタンスポンジ１２から略長尺円筒状の円柱形ウレタンスポンジ１２を得る工程とについて、図５から図８を用いて詳しく説明する。
【００７９】
なお、図５はウレタンスポンジの形状を説明する説明図を示し、図６は角柱形ウレタンスポンジ１１を載置した状態におけるスポンジ加工装置１の平面図を示し、図７は円柱形ウレタンスポンジ１２を得る工程におけるスポンジ加工装置１の平面図を示し、図８は円筒形ウレタンスポンジ１３を得る工程におけるスポンジ加工装置１の平面図を示している。
【００８０】
さらに、図５（ａ）は角柱形ウレタンスポンジ１１の外観斜視図を示し、図５（ｂ）は円柱形ウレタンスポンジ１２の外観斜視図を示し、図５（ｃ）は円筒形ウレタンスポンジ１３の外観斜視図を示している。  
加えて、図６から図８中において、制御装置４、及び支持台５の図示を省略している。
【００８１】
まず、図５（ａ）に示すように、上下方向に長い略長尺角柱状の角柱形ウレタンスポンジ１１の外周を加工して、図５（ｂ）に示すような略長尺円柱状の円柱形ウレタンスポンジ１２を得る工程について説明する。
【００８２】
なお、スポンジ加工装置１で加工されるウレタンスポンジの上下方向長さは、有効加工範囲Ｈの範囲内であって、かつ上側張架フレーム３３及び下側張架フレーム３４とのクリアランスを加味して、１０ｍｍ以上１０００ｍｍ以下の長さとする。
【００８３】
本実施例で加工する角柱形ウレタンスポンジ１１は、１０ｍｍ以上１０００ｍｍ以下の上下方向長さを有する略長尺角柱状体であって、ポリウレタンを発泡成形して形成している。さらに、角柱形ウレタンスポンジ１１の平面視略中心には、図５（ａ）に示すように、軸棒部２１ｂの直径と略同径の適宜の棒材を用いて、予め上下方向に開口した挿通孔１１ａを形成している。
【００８４】
オペレーターは、所望する円筒形ウレタンスポンジ１３の外径の半径に合わせて、位置決めボルト４２の螺合位置を調整する。より詳しくは、平面視において、スポンジ支持部材２１の中心から電熱線３６までの距離が、所望する半径と略同等となる位置で、電熱線張架部材３１の下側固定プレート３５ｃが当接するように、位置決めボルト４２の螺合位置を調整する。
【００８５】
その後、オペレーターは、図６に示すように、電熱線張架部材３１を平面視時計回りに回転させたのち、スポンジ保持構造体２の軸棒部２１ｂに、挿通孔１１ａを介して角柱形ウレタンスポンジ１１を挿し込む。
【００８６】
軸棒部２１ｂに角柱形ウレタンスポンジ１１を挿し込むと、オペレーターは、軸棒部２１ｂに挿通した押え部材２２を角柱形ウレタンスポンジ１１の上面に載置して、角柱形ウレタンスポンジ１１のセットを完了する。
【００８７】
角柱形ウレタンスポンジ１１のセットを完了すると、オペレーターは、制御装置４を操作して、回転駆動ユニット２３を駆動させ、角柱形ウレタンスポンジ１１がセットされたスポンジ支持部材２１を、平面視時計回りに回転させる。この際、オペレーターは、スポンジ支持部材２１の回転速度が１ｒｐｍとなるように調整する。
【００８８】
スポンジ支持部材２１の回転を開始すると、オペレーターは、制御装置４を操作して、上側ローラー３３ａ、及び下側ローラー３４ａを介して電熱線３６に、所定電圧を印加する。この際、電熱線３６が３２０℃から３８０℃、より好ましくは３３０℃から３５０℃に加熱されるように、ウレタンスポンジの上下方向長さに応じて印加する電圧を調整する。
【００８９】
より詳しくは、ウレタンスポンジの上下方向長さが１０ｍｍ以上４００ｍｍ未満の場合、印加電圧を５Ｖ以上７Ｖ未満とし、ウレタンスポンジの上下方向長さが４００ｍｍ以上６００ｍｍ未満の場合、印加電圧を７Ｖ以上１３Ｖ未満とし、ウレタンスポンジの上下方向長さが６００ｍｍ以上１０００ｍｍ以下の場合、印加電圧を１３Ｖ以上１６Ｖ以下とする。
【００９０】
例えば、角柱形ウレタンスポンジ１１の上下方向長さを８４０ｍｍとした場合、１３Ｖ以上１６Ｖ以下の範囲の電圧を電熱線３６に印加する。この際、電熱線３６に電圧１４．５Ｖを印加すると、電熱線３６が３４０℃程度に加熱する。
【００９１】
電熱線３６が所望する温度に達すると、オペレーターは、図７に示すように、下側固定プレート３５ｃが位置決めボルト４２の先端と当接するまで、電熱線張架部材３１を平面視反時計回りに回転させる。その後、オペレーターは、電熱線張架部材３１を適宜の方法で固定する。
【００９２】
スポンジ支持部材２１が１回転すると、加熱した電熱線３６によって、角柱形ウレタンスポンジ１１の外周部分が溶断されて、所望する外径を有する略長尺円柱状の円柱形ウレタンスポンジ１２を得られる。
【００９３】
円柱形ウレタンスポンジ１２を得ると、オペレーターは、電熱線張架部材３１を平面視時計回りに移動させて、円柱形ウレタンスポンジ１２から電熱線３６を離間させる。その後、オペレーターは、制御装置４を操作して、電熱線３６への電圧の印加を停止するとともに、スポンジ保持構造体２の回転を停止する。
【００９４】
引き続き、図５（ｂ）に示すような円柱形ウレタンスポンジ１２を加工して、図５（ｃ）に示すような略長尺円筒状の円筒形ウレタンスポンジ１３を得る工程について説明する。  
オペレーターは、電熱線張架部材３１から取り外した電熱線３６を、円柱形ウレタンスポンジ１２の上下方向に沿って予め開口していた貫通孔（図示省略）に挿通する。
【００９５】
なお、円柱形ウレタンスポンジ１２の貫通孔は、平面視における中心からの距離が、所望する円筒形ウレタンスポンジ１３の半径よりも短い位置に、電熱線３６が挿通可能な孔径で予め開口形成している。
【００９６】
円柱形ウレタンスポンジ１２に電熱線３６を挿通すると、オペレーターは、上側ローラー３３ａ、及び下側ローラー３４ａに張架して、電熱線３６を電熱線張架部材３１に装着する。
【００９７】
その後、オペレーターは、制御装置４を操作して、上側ローラー３３ａ、及び下側ローラー３４ａを介して電熱線３６に所定電圧を印加する。この際の印加電圧は、上述した角柱形ウレタンスポンジ１１から円柱形ウレタンスポンジ１２を得る工程における印加電圧と同じ値とする。
【００９８】
電熱線３６が所望する温度に達すると、オペレーターは、図８に示すように、スポンジ支持部材２１の中心から電熱線３６までの距離が、所望する円筒形ウレタンスポンジ１３における内径の半径と略同等となる位置まで、位置決めボルト４２の螺合位置を調整しながら、電熱線張架部材３１を平面視時計回りに回転させる。
【００９９】
そして、電熱線張架部材３１を所望する位置まで移動させると、オペレーターは、適宜の方法で電熱線張架部材３１を固定する。  
さらに、オペレーターは、制御装置４を操作して、回転駆動ユニット２３を駆動させ、円柱形ウレタンスポンジ１２がセットされたスポンジ支持部材２１を、平面視時計回りに回転させる。
【０１００】
この際、オペレーターは、スポンジ支持部材２１の回転速度が１ｒｐｍとなるように調整する。  
スポンジ支持部材２１が１回転すると、加熱した電熱線３６によって、円柱形ウレタンスポンジ１２の内部がくり抜かれるように溶断されて、所望する内外径を有する略長尺円筒状の円筒形ウレタンスポンジ１３を得られる。
【０１０１】
以上のような動作を実現するスポンジ加工装置１は、略長尺角柱状の角柱形ウレタンスポンジ１１を、略長尺円柱状または略長尺円筒状に容易に加工することができる。  
具体的には、有効加工範囲Ｈが１２００ｍｍ以下のため、スポンジ加工装置１は、１０ｍｍ以上１０００ｍｍ以下の上下方向長さを有する角柱形ウレタンスポンジ１１を、加熱した電熱線３６で加工することができる。
【０１０２】
そして、スポンジ支持部材２１を回動させる回転駆動ユニット２３により、スポンジ加工装置１は、角柱形ウレタンスポンジ１１を略長尺円柱状の円柱状ウレタンスポンジ１２に容易に加工することができる。
【０１０３】
同様にして、略円柱形ウレタンスポンジ１２における内部を電熱線３６で加工することで、スポンジ加工装置１は、円柱形ウレタンスポンジ１２を略長尺円筒状の円筒形ウレタンスポンジ１３に容易に加工することができる。  
この際、角柱形ウレタンスポンジ１１の長さが長いほど、角柱形ウレタンスポンジ１１との接触抵抗によって、電熱線３６の弛みが生じ易くなる。
【０１０４】
そこで、電熱線３６の引張方向に付勢する上側スプリング３７、及び下側スプリング３８を備えたことにより、スポンジ加工装置１は、電熱線３６の張力を略一定に保つことができる。このため、スポンジ加工装置１は、角柱形ウレタンスポンジ１１との接触抵抗による電熱線３６の弛みを抑制することができる。
【０１０５】
すなわち、スポンジ加工装置１は、角柱形ウレタンスポンジ１１との接触抵抗による電熱線３６の線径縮小を抑制できるため、電熱線３６の抵抗値変化を抑制することができる。このため、スポンジ加工装置１は、電熱線３６の温度変化の抑制と、電熱線３６の断線防止とを両立することができる。
【０１０６】
これにより、例えば、１０００ｍｍの長さを有する角柱形ウレタンスポンジ１１であっても、スポンジ加工装置１は、角柱形ウレタンスポンジ１１を電熱線３６で安定して溶融でき、加工面の凹凸を抑制した加工物を得ることができる。
【０１０７】
加えて、断線による電熱線３６の交換回数を低減できるため、スポンジ加工装置１は、角柱形ウレタンスポンジ１１をより効率よく加工することができる。  
従って、スポンジ加工装置１は、略長尺角柱状の角柱形ウレタンスポンジ１１を、略長尺円柱状または略長尺円筒状に容易に加工することができる。
【０１０８】
また、電熱線３６に作用する付勢力の合計が７ｋｇｆとなるように上側スプリング３７、及び下側スプリング３８を構成したことにより、スポンジ加工装置１は、角柱形ウレタンスポンジ１１を略長尺円柱状または略長尺円筒状に、より安定して加工することができる。
【０１０９】
具体的には、電熱線３６に作用する付勢力の合計が７ｋｇｆを下回る場合、電熱線３６に弛みが生じ易くなる。このため、電熱線３６で加工した角柱形ウレタンスポンジ１１の加工面に大きな凹凸が生じる、あるいは所望する加工精度で角柱形ウレタンスポンジ１１を加工できないおそれがあった。
【０１１０】
一方、電熱線３６に作用する付勢力の合計が７ｋｇｆを上回る場合、電熱線３６に作用する引張荷重と、角柱形ウレタンスポンジ１１との接触抵抗と、発熱による電熱線３６の伸長とによって、電熱線３６が容易に断線するおそれがあった。
【０１１１】
従って、スポンジ加工装置１は、電熱線３６に作用する付勢力の合計を７ｋｇｆとしたことにより、１０ｍｍ以上１０００ｍｍ以下の上下方向長さを有する角柱形ウレタンスポンジ１１の加工に適した張力で電熱線３６を張架することができ、角柱形ウレタンスポンジ１１を略長尺円柱状または略長尺円筒状に、より安定して加工することができる。
【０１１２】
また、材質が８５Ｎｉ−１５Ｃｒのニクロム線で電熱線３６を構成したことより、スポンジ加工装置１は、１０ｍｍ以上１０００ｍｍ以下の上下方向長さを有する角柱形ウレタンスポンジ１１の加工に適した温度に、電熱線３６を容易に加熱することができる。  
具体的には、ニクロム線の材質としては、８５Ｎｉ−１５Ｃｒ、８０Ｎｉ−２０Ｃｒ、あるいは６０Ｎｉ−１２Ｃｒ−２６Ｆｅなどがある。
【０１１３】
ところが、例えば、材質８０Ｎｉ−２０Ｃｒのニクロム線は、材質８５Ｎｉ−１５Ｃｒのニクロム線に比べて通電し難いため、角柱形ウレタンスポンジ１１の加工に適切な温度に加熱し難くなる。このため、材質８０Ｎｉ−２０Ｃｒのニクロム線では、角柱形ウレタンスポンジ１１との接触抵抗の増加によって断線するおそれがあった。
【０１１４】
また、例えば、材質６０Ｎｉ−１２Ｃｒ−２６Ｆｅのニクロム線は、同じ電圧を印加した材質８５Ｎｉ−１５Ｃｒのニクロム線に比べて発熱し易くなる。このため、材質６０Ｎｉ−１２Ｃｒ−２６Ｆｅのニクロム線では、電熱線３６に印加する電圧の制御が難しくなるとともに、角柱形ウレタンスポンジ１１との接触抵抗と、発熱による伸長とによって断線するおそれがあった。
【０１１５】
従って、スポンジ加工装置１は、材質８５Ｎｉ−１５Ｃｒのニクロム線で電熱線３６を構成したことにより、１０ｍｍ以上１０００ｍｍ以下の上下方向長さを有する角柱形ウレタンスポンジ１１の加工に適した温度に、電熱線３６を容易に加熱することができる。
【０１１６】
また、ニクロム線の線径を、直径０．８ｍｍとしたことにより、スポンジ加工装置１は、ニクロム線の断線をより防止するとともに、加工精度の向上を図ることができる。
【０１１７】
具体的には、ニクロム線の線径が直径０．８ｍｍを下回る場合、角柱形ウレタンスポンジ１１との接触抵抗と、発熱による伸長とによって、ニクロム線が断線するおそれがあった。  
一方、ニクロム線の直径が大きくなるほど、ニクロム線の曲げ剛性が高くなるため、曲げ変形が生じた部分を真直ぐにすることが困難になる。
【０１１８】
このため、ニクロム線の線径が直径０．８ｍｍを上回る場合、張架フレームに張架した状態で、ニクロム線に張力を作用させたとしても、ニクロム線の曲げ変形部分が残留するおそれがある。そして、角柱形ウレタンスポンジ１１を加工した際、ニクロム線の曲げ変形部分によって、角柱形ウレタンスポンジ１１の加工面に大きな凹凸が生じるおそれがあった。
【０１１９】
従って、スポンジ加工装置１は、ニクロム線の線径を直径０．８ｍｍとしたことにより、ニクロム線の断線をより防止するとともに、加工精度の向上を図ることができる。
【０１２０】
また、電圧を印加した状態におけるニクロム線の温度を、３２０℃以上３８０℃以下、より好ましくは３３０℃以上３５０℃以下としたことにより、スポンジ加工装置１は、ニクロム線の断線をより確実に防止するとともに、角柱形ウレタンスポンジ１１をより安定して加工することができる。
【０１２１】
具体的には、ニクロム線の温度が３２０℃を下回る場合、温度が低すぎて角柱形ウレタンスポンジ１１が溶融し難く、角柱形ウレタンスポンジ１１の加工が困難になるおそれがあった。  
一方、ニクロム線の温度が３８０℃を上回る場合、角柱形ウレタンスポンジ１１との接触抵抗と、発熱による伸長とによって、ニクロム線が断線するおそれがあった。
【０１２２】
従って、スポンジ加工装置１は、ニクロム線の温度を３２０℃以上３８０℃以下、より好ましくは３３０℃以上３５０℃以下としたことにより、ニクロム線の断線をより確実に防止するとともに、角柱形ウレタンスポンジ１１をより安定して加工することができる。
【０１２３】
また、回転駆動ユニット２３によるスポンジ支持部材２１の回転速度を１ｒｐｍとしたことにより、スポンジ加工装置１は、１０ｍｍ以上１０００ｍｍ以下の上下方向長さを有する角柱形ウレタンスポンジ１１を、所望する加工精度で見栄えの良い形状に加工することができる。
【０１２４】
具体的には、回転駆動ユニット２３による電熱線張架部材３１またはスポンジ支持部材２１の回転速度が１ｒｐｍを下回る場合、電熱線３６と角柱形ウレタンスポンジ１１との接触時間が長くなるため、角柱形ウレタンスポンジ１１が過度に溶融して、角柱形ウレタンスポンジ１１の加工面に大きな凹凸が生じるおそれがあった。
【０１２５】
一方、回転駆動ユニット２３による電熱線張架部材３１またはスポンジ支持部材２１の回転速度が１ｒｐｍを上回る場合、電熱線３６による角柱形ウレタンスポンジ１１の溶融速度よりも回転速度が上回り易くなるため、角柱形ウレタンスポンジ１１との接触抵抗が増大し、電熱線３６が断線するおそれがあった。
【０１２６】
従って、スポンジ加工装置１は、回転駆動ユニット２３によるスポンジ支持部材２１の回転速度を１ｒｐｍとしたことにより、１０ｍｍ以上１０００ｍｍ以下の上下方向長さを有する角柱形ウレタンスポンジ１１を、適切な回転速度で加工することができるとともに、所望する加工精度で見栄えの良い形状に加工することができる。
【０１２７】
なお、上述の実施形態において、ポリウレタンを発泡成形したウレタンスポンジを加工対象物としたが、これに限定せず、発泡ポリエチレンスポンジ、ゴムスポンジ、あるいは発泡スチロールなどであってもよい。さらに、ウレタンスポンジは、軟質あるいは硬質で、難燃性を有するものであってもよい。  
また、加工対象物として１０ｍｍ以上１０００ｍｍ以下の上下方向長さを有する角柱形ウレタンスポンジ１１としたが、これに限定せず、多角柱状、円柱状、あるいは球状のウレタンスポンジなどであってもよい。
【０１２８】
また、電熱線３６の両端に上側スプリング３７、及び下側スプリング３８を連結したが、これに限定せず、電熱線３６の引張方向に作用する付勢力が７ｋｇｆであれば、電熱線３６の一端を下側連結板３４ｂに連結し、電熱線３６の他端を１つのスプリングを介して上側連結板３３ｂに連結する構成としてもよい。
【０１２９】
また、付勢部材として、上側スプリング３７、及び下側スプリング３８を用いて説明したが、これに限定せず、電熱線３６の引張方向に付勢力を作用できる構成であれば、適宜の付勢部材で構成してもよい。
【０１３０】
また、電熱線張架部材３１が固定され、スポンジ支持部材２１が回転する構成のスポンジ加工装置１としたが、これに限定せず、スポンジ支持部材２１が固定され、スポンジ支持部材２１における軸棒部２１ｂの中心軸を回転軸として、電熱線張架部材３１が回転する構成のスポンジ加工装置としてもよい。
【０１３１】
また、３つの蝶番３ａを介して、支持フレーム３２に電熱線張架部材３１を連結したが、これに限定せず、支持フレーム３２に対して電熱線張架部材３１を回転自在に支持する構成であれば、適宜の構成としてもよい。
【０１３２】
また、上側ローラー３３ａ、及び下側ローラー３４ａを介して、電熱線３６に電圧を印加したが、これに限定せず、電熱線３６に電圧を印加できる構成であれば、適宜の構成としてもよい。
【０１３３】
例えば、上側スプリング３７の一端、及び下側スプリング３８の一端を電熱線３６の両端に連結するとともに、上側スプリング３７の他端に正極電線７を接続し、下側スプリング３８の他端に負極電線８を接続する構成としてもよい。
【０１３４】
あるいは、上側スプリング３７と電熱線３６との間に正極電線７を接続するとともに、下側スプリング３８と電熱線３６との間に負極電線８を接続してもよい。この際、上側スプリング３７と正極電線７との接続箇所、及び下側スプリング３８と負極電線８との接続箇所に適宜の絶縁体を介在させて、上側スプリング３７、及び下側スプリング３８への導通を阻止してもよい。
【０１３５】
もしくは、上側ローラー３３ａと下側ローラー３４ａとの間において、上側スプリング３７、電熱線３６、及び下側スプリング３８が上方からこの順番で連結されるとともに、上側スプリング３７が上側ローラー３３ａに連結され、下側スプリング３８が下側ローラー３４ａに連結される構成としてもよい。
【０１３６】
また、角柱形ウレタンスポンジ１１の外周部分の加工と、内部の加工とを、１つの電熱線保持構造体３で行う構成のスポンジ加工装置１としたが、これに限定せず、角柱形ウレタンスポンジ１１の外周部分を加工する電熱線保持構造体と、角柱形ウレタンスポンジ１１の内部を加工する電熱線保持構造体とを備えたスポンジ加工装置であってもよい。
【０１３７】
これにより、スポンジ加工装置は、角柱形ウレタンスポンジ１１の外周部分と内部とを同時に加工することができ、角柱形ウレタンスポンジ１１から円筒形ウレタンスポンジ１３を効率よく得ることができる。
【０１３８】
この発明の構成と、上述の実施形態との対応において、
この発明の高分子化合物は、実施形態のポリウレタンに対応し、
以下同様に、
高分子発泡体は、角柱形ウレタンスポンジ１１に対応し、
発泡体支持手段は、スポンジ支持部材２１に対応し、
一対の張架フレームは、上側張架フレーム３３、及び下側張架フレーム３４に対応し、
電熱線張架手段は、電熱線張架部材３１に対応し、
電圧供給手段は、上側ローラー３３ａ、下側ローラー３４ａ、正極電線７、負極電線８、制御装置４、及び電源装置１０に対応し、
発泡体加工装置は、スポンジ加工装置１に対応し、
張架方向は、上下方向に対応し、
回動手段は、回転駆動ユニット２３に対応し、
一対の張架フレームの間における電熱線の長さは、有効加工範囲Ｈに対応し、
付勢部材は、上側スプリング３７、及び下側スプリング３８に対応するが、
この発明は、上述の実施形態の構成のみに限定されるものではなく、多くの実施の形態を得ることができる。
【符号の説明】
【０１３９】
１…スポンジ加工装置
４…制御装置
７…正極電線
８…負極電線
１０…電源装置
１１…角柱形ウレタンスポンジ
２１…スポンジ支持部材
２３…回転駆動ユニット
３１…電熱線張架部材
３３…上側張架フレーム
３３ａ…上側ローラー
３４…下側張架フレーム
３４ａ…下側ローラー
３６…電熱線
３７…上側スプリング
３８…下側スプリング
Ｈ…有効加工範囲
【図１】
2016159403.tif 000003
【図２】
2016159403.tif 000004
【図３】
2016159403.tif 000005
【図４】
2016159403.tif 000006
【図５】
2016159403.tif 000007
【図６】
2016159403.tif 000008
【図７】
2016159403.tif 000009
【図８】
2016159403.tif 000010